(57)【要約】【課題】ハンドルを用いて携帯することができるとともに、ハンドルを使用しないときや、バッグに入れて携帯する場合にハンドルが邪魔になるのを回避できるバッグ収納用ケースを提供する。【解決手段】ケース本体に、ハンドルが上方へ突出しうるとともに下方へ回動してケース本体内部に収納されうるように取付けられる。ハンドルは、断面略円形の取付軸部を有するとともにその取付軸部の軸方向に沿って通孔部を有し、その通孔部に挿通されるとともに上記取付軸部の外周部に巻き付けられる輪状連結部材がケース本体に取付けられる。ハンドルは下方へ回動して上記ポケット部内に収納される。【選択図】        図４
2004344405.tif 000002
【特許請求の範囲】
【請求項１】
ケース本体に、ハンドルが上方へ突出しうるとともに下方へ回動してケース本体内部に収納されうるように取付けられていることを特徴とするバッグ収納用ケース。
【請求項２】
上記ハンドルは、長さ方向の両端に断面略円形の取付軸部を有するとともにその取付軸部の軸方向に沿ってその取付軸部の傍に通孔部を有し、その通孔部に挿通されるとともに上記取付軸部の外周部に巻き付けられる輪状連結部材がケース本体に取付けられたことを特徴とする請求項１記載のバッグ収納用ケース。
【請求項３】
上記ケース本体は、薄形箱状に形成され、主収納部と、この主収納部の幅方向の両側に形成されたポケット部とを有し、上記輪状連結部材は上記ポケット部の内側の開口縁部近傍に取付けられ、上記ハンドルは下方へ回動して上記ポケット部内に収納されうるように形成されていることを特徴とする請求項１又は２記載のバッグ収納用ケース。
【請求項４】
上記輪状連結部材は、テープ状部材の一端を他端方向へ折り返して、その重ね合わせた両端部をケース本体に止着することにより形成されていることを特徴とする請求項２又は３記載のバッグ収納用ケース。
【発明の詳細な説明】
【０００１】
【発明の属する技術分野】
本発明はケースに係り、特に、バッグ内に収納されるハンドル付きのケースに関する。
【０００２】
【従来の技術】
従来より、バッグ内に収納しうる各種書類を入れることができるバッグ収納用ケースがあった。
【０００３】
このようなバッグ収納用ケースには、単独でも持ち運びできるように、ハンドルが付いているものもあった。
【０００４】
しかしながら、従来のハンドル付きケースは、そのハンドルが常に突出するように形成されているので、ケースをバッグに入れて持ち運ぼうとすると、そのハンドルを折り畳んだりしなければならず、極めて煩雑であった。
なお、本出願人は上記の問題を解決できる発明の記載された先行技術文献を現在のところ知り得ていない。
【０００５】
【発明が解決しようとする課題】
本発明は、ハンドルを用いて携帯することができるとともに、ハンドルを使用しないときや、バッグに入れて携帯する場合にハンドルが邪魔になるのを回避できるバッグ収納用ケースの提供を課題とする。
【０００６】
【課題を解決するための手段】
上記課題を解決するために、本発明のバッグ収納用ケースは、ケース本体にハンドルが上方へ突出しうるとともに下方へ回動してケース本体内部に収納されうるように取付けられていることを特徴とするものである。
【０００７】
これにより、本発明に係るバッグ収納用ケースにあっては、ハンドルを使用する場合にケース本体の上方へ突出させ、ハンドルを使用しないときは、下方へ回動させてケース本体内部に収納できるので、使用しないときにハンドルが邪魔になることがなく、また、ハンドルをケース本体内部に収納することにより、ハンドルを折畳むことなくケースを他のバッグ内に収納することができる。
【０００８】
また、本発明のバッグ収納用ケースでは、上記ハンドルは、長さ方向の両端に断面略円形の取付軸部を有するとともにその取付軸部の軸方向に沿ってその取付軸部の傍に通孔部を有し、その通孔部に挿通されるとともに上記取付軸部の外周部に巻き付けられる輪状連結部材がケース本体に取付けられたものとすることができる。
【０００９】
これにより、本発明に係るバッグ収納用ケースにあっては、上記ケース本体に取付けられた上記輪状連結部材を上記ハンドルに設けられた上記通孔部に挿通するとともに、上記ハンドルに設けられた上記断面略円形の取付軸部に巻き付けることによって、上記ハンドルを容易に装着できると共にハンドルの回動が容易になる。
【００１０】
また、本発明のバッグ収納用ケースでは、上記ケース本体は、薄形箱状に形成され、主収納部と、この主収納部の幅方向の両側に形成されたポケット部とを有し、上記輪状連結部材は上記ポケット部の内側の開口縁部近傍に取付けられ、上記ハンドルは下方へ回動して上記ポケット部内に収納されうるように形成されているものとすることができる。
【００１１】
これにより、本発明に係るバッグ収納用ケースにあっては、上記ハンドルを上記ケース本体の上記ポケット部内に収納できるので、上記ケース本体の上記主収納部に物を入れる場合に上記ハンドルが邪魔になることがない。
また、上記ハンドルを上記ケース本体の上記ポケット部に収納することにより、そのハンドルが上記ポケット部のフラップ（蓋）の代わりになり、上記ポケット部から収納物が安易に抜け出るのを防止することができる。
【００１２】
また、本発明のバッグ収納用ケースでは、上記輪状連結部材は、テープ状部材の一端を他端方向へ折り返して、その重ね合わせた両端部をケース本体に止着することにより形成されているものとすることができる。
【００１３】
これにより、本発明に係るバッグ収納用ケースにあっては、上記輪状連結部材の製作が容易であり、又、上記テープ状部材はフレキシブルに変形できるので上記ハンドルの動きに追従しやすく、上記ハンドルの回動をさらに容易にする。
【００１４】
以下、添付した図面を用いて本実施の形態について説明する。
まず、図示した本実施の形態に係るケース１は、ケース本体２にハンドル３，４が、図１及び図２に示すように、上方へ突出しうるとともに、図３及び図４に示すように、下方へ回動してケース本体２内部に収納されうるように取付けられている。
そして、図５及び図６に示すように、上記ハンドル３，４は、長さ方向の両端に断面略円形の取付軸部５，６を有するとともにその取付軸部５，６の軸方向に沿ってその取付軸部５，６の傍に通孔部７，８を有し、その通孔部７，８に挿通されるとともに上記取付軸部５，６の外周部に巻き付けられる輪状連結部材９，１０がケース本体２に取付けられている。
そして、上記ケース本体２は、図２及び図４に示すように、薄形箱状に形成され、主収納部２３と、この主収納部２３の幅方向の両側に形成されたポケット部１１，１２とを有し、上記輪状連結部材９，１０は、図５及び図６に示すように、上記ポケット部１１，１２の内側の開口縁部近傍に取付けられ、上記ハンドル３，４は、図４及び図６に示すように、下方へ回動して上記ポケット部１１，１２内に収納されうるように形成されている
そして、上記輪状連結部材９，１０は、図５及び図６に示すように、テープ状部材１３，１４の一端を他端方向へ折り返して、その重ね合わせた両端部をケース本体２に止着することにより形成されている。
【００１５】
上記ケース本体２は、図１に示すように、前胴部１５、後胴部１６、底部１７、上面部１８、左マチ部１９及び右マチ部２０を有し、全体として薄形箱状に形成されている。
【００１６】
また、上記ケース本体２は、図２に示すように、上記前胴部１５と後胴部１６の内側にそれぞれ前仕切板２１と後仕切板２２が配されており、上記前胴部１５と前仕切板２１との間にポケット部１１が形成されるとともに、上記後胴部１６と後仕切板２２との間にもポケット部１２が形成されている。
【００１７】
また、図２に示すように、上記前仕切板２１と後仕切板２２との間には主収納部２３が形成され、さらに、前仕切板２１と後仕切板２２の内側にはそれぞれ内ポケット部２４，２５が形成されている。
【００１８】
なお、図２に示すように、上記前胴部１５、底部１７及び後胴部１６は一連の半透明なプラスチックシート２６を折り曲げて形成されている。
【００１９】
また、図２に示すように、上記前仕切板２１と後仕切板２２も一連の透明なプラスチックシート２７を折り曲げて形成されている。
【００２０】
また、図２に示すように、上記内ポケット部２４，２５を形成するために、上記前仕切板２１と後仕切板２２の内面部に一連のネット２８が張設されている。
【００２１】
そして、図２に示すように、上記プラスチックシート２６、上記プラスチックシート２７及び上記ネット２８は、ケース本体２の底部１７にリベット２９により固定されている。
【００２２】
また、図１に示すように、上記左マチ部１９、上面部１８及び右マチ部２０にはダブルのスライダ３０，３１を備えた一連のスライドファスナ３２が取付けられており、このスライドファスナ３２を完全にオープンすると、図示はしないが、上記前胴部１５、底部１７及び後胴部１６が略面一に展開しうるように形成されている。
【００２３】
なお、本発明に係るケース本体の構造や素材は自由であり、上記の本実施形態の構造や素材に限定されるものではない。
【００２４】
上記ケース本体２における前胴部１５側と後胴部１６側の上辺中央部にはそれぞれハンドル３，４が取付けられている。
【００２５】
上記ハンドル３，４は、図５に示すように、プラスチックにより全体的に弓状に湾曲した形状に形成され、その長さ方向の両端部がケース本体２に接続されている。
【００２６】
図５に示すように、上記ハンドル３，４の長さ方向の両端部には断面略円形の取付軸部５，６が形成されるとともに、その取付軸部５，６に添うようにその軸方向に沿って通孔部７，８も形成されている。
【００２７】
上記ハンドル３，４の長さ方向の両端部をケース本体２に接続するために、図５に示すように、上記ポケット部１１，１２の内側における開口縁部近傍に輪状連結部材９，１０が取付けられている。
【００２８】
上記輪状連結部材９，１０は、図５及び図６に示すように、布製のテープ状部材１３，１４の一端を他端方向へ折り返して、その重ね合わせた両端部をケース本体２に止着することにより形成されている。なお、テープ状部材１３，１４の素材は自由であり、本実施形態で使用した布に限定されるものではない。テープ状部材１３，１４の素材としては、布と同様にフレキシブルな素材が好ましく、例えば、皮革や合成樹脂シート等の使用も考えられる。
【００２９】
そして上記テープ状部材１３，１４が、図５及び図６に示すように、上記通孔部７，８に挿通されるとともに、上記取付軸部５，６の外周部に巻き付けられることにより、上記輪状連結部材９，１０とハンドル３，４の両端部とが接続されている。
【００３０】
上記ハンドル３，４の両端部に設けられた上記取付軸部５，６は上記輪状連結部材９，１０に対し回動することができ、上方へ回動させると、図１および図２に示すように、ハンドル３，４はケース本体２の上方へ突出することができる。
【００３１】
また、上記ハンドル３，４を下方へ回動させると、図３乃至図６に示すように、上記ポケット部１１，１２内に収納することができる。
【００３２】
そして、上記ケース１は、図示はしないが、他のバッグに収納して使用するように形成されている。すなわち、ケース１を収納するバッグの形状やサイズに合わせてケース本体２の形状やサイズが設計されている。
【００３３】
【作用】
以下、本実施の形態に係るケース１の作用について説明する。
まず、ハンドル３，４を使用する場合、すなわち、ケース１を単独で携帯する場合は、図１及び図２に示すように、上記ハンドル３，４を上方へ回動させてケース本体２の上方へ突出させる。これにより、そのハンドル３，４を手のひらで握って持ち運ぶことができる。
【００３４】
次に、ハンドル３，４を使用しないで携帯する場合や、他のバッグに収納する場合は、図３乃至図６に示すように、上記ハンドル３，４を下方へ回動させてケース本体２の上記ポケット部１１，１２内へ収納する。これにより、ハンドル３，４が邪魔にならずにケース１を携帯できるとともに、ハンドル３，４を折畳むことなく他のバッグに収納することができる。
【００３５】
また、上記ハンドル３，４は、図５及び図６に示すように、上記断面略円形の取付軸部５，６をケース本体２に取付けた上記輪状連結部材９，１０に通して接続することにより回動が容易になって、ケース本体２の上方へ突出させたり、ポケット部１１，１２内へ収納することをスムースに行なうことができる。
【００３６】
また、上記輪状連結部材９，１０はテープ状部材１３，１４を折り返して止着することにより形成されるので、その製作が容易であり、又、テープ状部材１３，１４はフレキシブルに変形できるのでハンドル３，４の動きに追従しやすく、ハンドル３，４の回動をより容易にする。
【００３７】
また、上記ハンドル３，４をポケット部１１，１２内へ収納することにより、そのハンドル３，４がポケット部１１，１２の開口部を塞ぐことになるので、上記ハンドル３，４はポケット部に従来取付けられていたフラップの代わりとなり、ポケット部１１，１２内の収納物が安易に抜け出るのを防止することができる。
【００３８】
【発明の効果】
請求項１記載の本発明のバッグ収納用ケースは、ハンドルを使用する場合にケース本体の上方へ突出させ、ハンドルを使用しないときは、下方へ回動させてケース本体内部に収納できるので、ハンドルを使用しないときにそのハンドルが邪魔になることがない。また、ハンドルをケース本体内部に収納することにより、ハンドルを折畳んだりしないで、ケースを他のバッグ内に容易に収納することができる。
【００３９】
また、請求項２記載の本発明のバッグ収納用ケースは、ケース本体に取付けられた輪状連結部材をハンドルに設けられた通孔部に挿通するとともに、ハンドルに設けられた断面略円形の取付軸部に巻き付けることによって、ハンドルをケース本体に接続するので、そのハンドルの回動が容易で、ハンドルをケース本体の上方へ突出させたり、ケース本体内へ収納することがスムースにできる。
【００４０】
また、請求項３記載の本発明のバッグ収納用ケースは、ハンドルをケース本体のポケット部に収納できるので、ケース本体の主収納部に物を入れる場合にハンドルが邪魔になることがない。
また、ハンドルをケース本体のポケット部に収納することにより、そのハンドルがポケット部のフラップの代わりになり、ポケット部から収納物が安易に抜け出るのを防止することができる。
【００４１】
また、請求項４記載の本発明のバッグ収納用ケースは、輪状連結部材がテープ状部材の一端を他端方向へ折り返して、その重ね合わせた両端部をケース本体に止着することにより形成されているので、その輪状連結部材の製作が容易であり、又、テープ状部材はフレキシブルに変形できるのでハンドルの動きに追従しやすく、ハンドルの回動をより容易にすることができる。
【図面の簡単な説明】
【図１】本実施の形態に係るケースのハンドルをケース本体の上方へ突出させた状態の斜視図である。
【図２】図１のＡ−Ａ線における断面図である。
【図３】本実施の形態に係るケースのハンドルをケース本体のポケット部へ収納した状態の斜視図である。
【図４】図３のＢ−Ｂ線における断面図である。
【図５】本実施の形態に係るケースのハンドルをケース本体のポケット部へ収納した状態の一部拡大斜視図である
【図６】図５のＣ−Ｃ線における断面図である。
【符号の説明】
１  ケース
２  ケース本体
３  ハンドル
４  ハンドル
５  取付軸部
６  取付軸部
７  通孔部
８  通孔部
９  輪状連結部材
１０  輪状連結部材
１１  ポケット部
１２  ポケット部
１３  テープ状部材
１４  テープ状部材
１５  前胴部
１６  後胴部
１７  底部
１８  上面部
１９  左マチ部
２０  右マチ部
２１  前仕切板
２２  後仕切板
２３  主収納部
２４  内ポケット部
２５  内ポケット部
２６  プラスチックシート
２７  プラスチックシート
２８  ネット
２９  リベット
３０  スライダ
３１  スライダ
３２  スライドファスナ
【図１】
2004344405.tif 000003
【図２】
2004344405.tif 000004
【図３】
2004344405.tif 000005
【図４】
2004344405.tif 000006
【図５】
2004344405.tif 000007
【図６】
2004344405.tif 000008